(57)【要約】  アクセス許可のないＣＳＧセルを再度通知することにより使用されるリソースの無駄をなくすことができるハンドオーバ前処理システムなどを提供する技術が開示され、その技術によれば移動端末３００の接続対象であり、移動端末がアクセス可能な範囲を示す複数のセルを提供し、セルのそれぞれの周波数情報を含む報知情報を移動端末に送信する基地局１００と、基地局から受信した報知情報に基づいてセルへのアクセス許可を確認し、アクセス許可がない場合、アクセス許可のないセルに対応する周波数情報を含む第１のメッセージを生成し、移動端末自身が現在接続している接続基地局２００に第１のメッセージを送信する移動端末と、移動端末から受信した第１のメッセージに基づいて、第１のメッセージに含まれる周波数情報により特定される周波数以外の周波数を選択するよう指示するコマンドを含む第２のメッセージを移動端末に送信する接続局装置とを備える。
2011086934.tif 000002
【特許請求の範囲】
【請求項１】
移動端末のハンドオーバ先を特定するための前処理を行うハンドオーバ前処理システムであって、
前記移動端末の接続対象であり、前記移動端末がアクセス可能な範囲を示す複数のセルを提供し、前記セルのそれぞれの周波数情報を含む報知情報を前記移動端末に送信する基地局と、
前記基地局から受信した前記報知情報に基づいて前記セルへのアクセス許可を確認し、前記アクセス許可がない場合、前記アクセス許可のないセルに対応する周波数情報を含む第１のメッセージを生成し、前記移動端末自身が現在接続している接続基地局に前記第１のメッセージを送信する前記移動端末と、
前記移動端末から受信した前記第１のメッセージに基づいて、前記第１のメッセージに含まれる周波数情報により特定される周波数以外の周波数を選択するよう指示するコマンドを含む第２のメッセージを前記移動端末に送信する前記接続局装置とを、
備えるハンドオーバ前処理システム。
【請求項２】
前記基地局は、前記報知情報を、自身のカバレッジと同等又はそれ以上のカバレッジのセルの周波数情報を含めた前記報知情報として前記移動端末に送信する請求項１に記載のハンドオーバ前処理システム。
【請求項３】
前記基地局は、前記報知情報に前記セルのカバレッジ情報を含めて前記移動端末に送信し、
前記移動端末は、前記第１のメッセージを生成する際、前記アクセス許可のないセルの受信品質を測定し、前記受信品質が所定の閾値以上の場合に、前記アクセス許可のないセルに対応する周波数情報を含むメッセージとして前記第１のメッセージを生成し、前記受信品質が前記所定の閾値より小さい場合に、該当するセルのカバレッジと同等又はそれ以上のカバレッジのセルの周波数情報を含むメッセージとして前記第１のメッセージを生成する請求項１に記載のハンドオーバ前処理システム。
【請求項４】
前記基地局は、前記報知情報を、前記セルへのアクセスが可能か否かを判断するためのアクセス許可情報が同一のセルの周波数情報を含めた報知情報として前記移動端末に送信する請求項１に記載のハンドオーバ前処理システム。
【請求項５】
前記基地局は、前記セルへのアクセスが可能か否かを判断するためのアクセス許可情報を前記報知情報に含めて前記移動端末に送信し、
前記移動端末は、前記第１のメッセージを生成する際、前記アクセス許可のないセルの前記報知情報に含まれる前記アクセス許可情報を用いて他のセルへのアクセス許可の確認処理を行い、前記アクセス許可のないセルに対応する周波数情報を含むメッセージとして前記第１のメッセージを生成する請求項１に記載のハンドオーバ前処理システム。
【請求項６】
移動端末のハンドオーバ先を特定するための前処理を行うハンドオーバ前処理システムにおける前記移動端末であって、
前記移動端末の接続対象であり、前記移動端末がアクセス可能な範囲を示す複数のセルを提供し、前記セルのそれぞれの周波数情報を含む報知情報を送信する基地局から前記報知情報を受信する受信手段と、
受信した前記報知情報に基づいて前記セルへのアクセス許可を確認するアクセス許可確認手段と、
前記アクセス許可がない場合、前記アクセス許可のないセルに対応する周波数情報を抽出する抽出手段と、
抽出された前記周波数情報を含む第１のメッセージを生成し、前記移動端末自身が現在接続している接続基地局に前記第１のメッセージを送信する制御手段とを、
備える移動端末。
【請求項７】
前記受信手段を介して、前記セルのカバレッジ情報を更に含む前記報知情報を前記基地局から受信した後、前記第１のメッセージを生成する際、前記アクセス許可のないセルの受信品質を測定し、前記移動端末自身が前記基地局の近傍にあるか否かを判断する判断手段と、
前記受信品質が所定の閾値以上と判断された場合に、前記アクセス許可のないセルに対応する周波数情報を選択し、前記受信品質が前記所定の閾値より小さいと判断された場合に、該当するセルのカバレッジと同等又はそれ以上のカバレッジのセルの周波数情報を選択する選択手段とを更に備え、
前記制御手段は、選択された前記周波数情報を含むメッセージとして前記第１のメッセージを生成する請求項６に記載の移動端末。
【請求項８】
前記受信手段を介して、前記セルへのアクセスが可能か否かを判断するためのアクセス許可情報を更に含む前記報知情報を前記基地局から受信した後、前記第１のメッセージを生成する際、前記抽出手段によって、前記アクセス許可のないセルの前記報知情報に含まれる前記アクセス許可情報が抽出された場合に、
抽出された前記アクセス許可情報を用いて、前記アクセス許可確認手段による他のセルへのアクセス許可の確認処理を行い、前記アクセス許可のないセルに対応する周波数情報を選択する選択手段を更に備え、
前記制御手段は、選択された前記周波数情報を含むメッセージとして前記第１のメッセージを生成する請求項６に記載の移動端末。
【請求項９】
移動端末のハンドオーバ先を特定するための前処理を行うハンドオーバ前処理システムにおける前記移動端末の接続対象となる基地局であって、
前記基地局によって提供される、前記移動端末がアクセス可能な範囲を示す複数のセルのそれぞれの周波数情報を含む報知情報を格納する格納手段と、
前記格納手段から前記セルの周波数情報を取得し、取得された前記周波数情報を含む報知情報を生成し、前記移動端末に送信する制御手段とを、
備える基地局。
【請求項１０】
前記制御手段は、前記報知情報を、自身のカバレッジと同等又はそれ以上のカバレッジのセルの周波数情報を含めた前記報知情報として前記移動端末に送信する請求項９に記載の基地局。
【請求項１１】
前記制御手段は、前記報知情報に前記セルのカバレッジ情報を含めて前記移動端末に送信する請求項９に記載の基地局。
【請求項１２】
前記制御手段は、前記報知情報を、前記セルへのアクセスが可能か否かを判断するためのアクセス許可情報が同一のセルの周波数情報を含めた報知情報として前記移動端末に送信する請求項９に記載の基地局。
【請求項１３】
前記制御手段は、前記セルへのアクセスが可能か否かを判断するためのアクセス許可情報を前記報知情報に含めて前記移動端末に送信する請求項９に記載の基地局。
【請求項１４】
移動端末のハンドオーバ先を特定するための前処理を行うハンドオーバ前処理システムにおける前記移動端末が現在接続している基地局であって、
前記移動端末の接続対象である接続対象基地局から送信され、前記基地局によって提供される、前記移動端末がアクセス可能な範囲を示す複数のセルのそれぞれの周波数情報を含む報知情報を受信した前記移動端末が、前記報知情報に基づいて前記セルへのアクセス許可を確認し、前記アクセス許可がない場合に、前記移動端末によって生成された、前記アクセス許可のないセルに対応する周波数情報を含む第１のメッセージを受信する受信手段と、
受信した前記第１のメッセージに基づいて、前記第１のメッセージに含まれる周波数情報により特定される周波数以外の周波数を選択するよう指示するコマンドを含む第２のメッセージを生成し、前記移動端末に送信する制御手段とを、
備える基地局。
【請求項１５】
移動端末のハンドオーバ先を特定するための前処理を行うハンドオーバ前処理システムであって、
前記移動端末の接続対象である基地局によって提供される、前記移動端末がアクセス可能な範囲を示す複数のセルのそれぞれの周波数情報のうち、あらかじめ選択された前記周波数情報と同一の周波数情報を含む報知情報を所定の期間内に受信し、受信した前記報知情報に基づいて前記セルへのアクセス許可を確認し、前記アクセス許可がない場合、前記アクセス許可のないセルに対応する周波数情報を含む第１のメッセージを生成し、前記移動端末自身が現在接続している接続基地局に前記第１のメッセージを送信する前記移動端末と、
前記移動端末から受信した前記第１のメッセージに基づいて、前記第１のメッセージに含まれる周波数情報により特定される周波数以外の周波数を選択するよう指示するコマンドを含む第２のメッセージを前記移動端末に送信する前記接続局装置とを、
備えるハンドオーバ前処理システム。
【請求項１６】
移動端末のハンドオーバ先を特定するための前処理を行うハンドオーバ前処理システムにおける前記移動端末であって、
受信する周波数情報をあらかじめ選択する周波数選択手段と、
前記移動端末の接続対象である基地局によって提供される、前記移動端末がアクセス可能な範囲を示す複数のセルのそれぞれの周波数情報のうち、選択された前記周波数情報と同一の周波数情報を含む報知情報を所定の期間内に受信する受信手段と、
受信した前記報知情報に基づいて前記セルへのアクセス許可を確認するアクセス許可確認手段と、
前記アクセス許可がない場合、前記アクセス許可のないセルに対応する周波数情報を抽出する抽出手段と、
抽出された前記周波数情報を含む第１のメッセージを生成し、前記移動端末自身が現在接続している接続基地局に前記第１のメッセージを送信する制御手段とを、
備える移動端末。
【請求項１７】
前記制御手段は、抽出された前記周波数情報のうち、現在接続している接続基地局から指示された周波数情報以外の周波数情報を少なくとも含む前記第１のメッセージを生成する請求項１６に記載の移動端末。
【請求項１８】
複数の前記基地局それぞれが同期している場合に、
前記制御手段は、抽出された前記周波数情報のうちに他の基地局が提供するセルの周波数情報が含まれる場合、前記他の基地局が提供するセルの周波数情報を少なくとも含む前記第１のメッセージを生成する請求項１６に記載の移動端末。
【請求項１９】
前記制御手段は、前記抽出手段によって抽出されない周波数情報を少なくとも含む前記第１のメッセージを生成する請求項１６に記載の移動端末。
【請求項２０】
移動端末のハンドオーバ先を特定するための前処理を行うハンドオーバ前処理システムにおける前記移動端末が現在接続している基地局であって、
前記移動端末の接続対象である接続対象基地局によって提供される、前記移動端末がアクセス可能な範囲を示す複数のセルのそれぞれの周波数情報のうち、あらかじめ選択された前記周波数情報と同一の周波数情報を含む報知情報を所定の期間内に受信した前記移動端末が、前記報知情報に基づいて前記セルへのアクセス許可を確認し、前記アクセス許可のないセルに対応する周波数情報を抽出する際、抽出されない周波数情報を少なくとも含む第１のメッセージを生成した場合に、前記第１のメッセージを受信する受信手段と、
受信した前記第１のメッセージに基づいて、前記第１のメッセージに含まれる抽出されない周波数情報により特定される周波数を選択するよう指示するコマンドを含む第２のメッセージを生成し、前記移動端末に送信する制御手段とを、
備える基地局。
【発明の詳細な説明】
【技術分野】
【０００１】
本発明は、移動端末のハンドオーバ先を特定する際に行われるハンドオーバ前処理を実行するハンドオーバ前処理システム、移動端末、基地局に関する。
【背景技術】
【０００２】
３ＧＰＰではホーム基地局（Home eNodeBあるいはHome NodeB:以下、「ＨｅＮＢ」あるいは「ＨＮＢ」という）を設置してＣＳＧセルを構築することが検討されている（非特許文献１を参照）。図１７に示すように、通常の基地局(ｅＮＢ)が構築するセル（マクロセル１７０１）の中にＣＳＧセルが構築される。ＨｅＮＢはｅＮＢと異なり、アクセスできる端末（User Equipment：以下、「ＵＥ」という）を制限することができる機能が設けられており、ＵＥ（端末）はアクセス許可のあるＣＳＧセルにしか接続できない。ＵＥ（端末）は、緊急時を除き、どんなに受信品質のよいＣＳＧセルを検出してもアクセス許可がなければ接続できない。【０００３】
ＵＥ（端末）がＣＳＧセルのアクセス許可を確認するためにはＣＳＧセル（基地局）から送信される報知情報に含まれるセル識別情報を確認する必要がある。各ＣＳＧセルはグループ単位でＣＳＧ ＩＤと呼ばれるＩＤを持ち、ＵＥ（端末）に対してＣＳＧ ＩＤ単位でアクセス許可を与える。ＵＥ（端末）はネットワークから通知されるアクセス可能なＣＳＧセルのＣＳＧ ＩＤリスト(アクセス許可リスト：ＣＳＧホワイトリスト)とＣＳＧセルの報知情報から受信したセル識別情報であるＣＳＧ ＩＤとを照合して、検出したＣＳＧセルのＣＳＧ ＩＤがＣＳＧホワイトリストに含まれていればアクセス可能と判断する。これ以降ではＣＳＧ ＩＤをアクセス許可情報と呼ぶことにする。【０００４】
また、すべてのセルは、物理セルＩＤ（Physical Cell ID：PCI）と呼ばれるセル識別情報を持っている。ＣＳＧセルに関しては図１８に示すように、ＵＥ（端末）が現在接続しているサービング基地局１８０１(serving cell)付近で同じＰＣＩを持つＣＳＧセルが存在する場合がある。これはPCI collisionと呼ばれる。ＵＥ（端末）は周辺セルからの信号の受信品質を測定し、サービング基地局１８０１や周辺セルの受信品質がある条件をクリアした場合にトリガがかかる。これはイベントトリガ（Event trigger）と呼ばれる。【０００５】
トリガがかかると受信品質の良いセルのＰＣＩを測定結果報告メッセージ（measurement report）を使ってサービング基地局１８０１に通知する。サービング基地局１８０１は、この受信品質情報をもとにハンドオーバ先を決定し、ハンドオーバ先セルにハンドオーバ要求メッセージ（Handover request: HO request）を送信する。この場合、PCI collisionが発生すると、サービング基地局１８０１は誤ったセルにハンドオーバ要求メッセージ（Handover request: HO request）を送信してしまう可能性がある。これはPCI confusionと呼ばれる。【０００６】
PCI confusionを防ぐために、ＵＥ（端末）はＣＳＧセルの報知情報からユニークなセル識別子であるセルグローバルＩＤ(Cell Global ID: CGI)を検出して測定結果報告メッセージを使ってサービング基地局１８０１に通知し、その通知によりサービング基地局１８０１はＣＳＧセルを特定している。ただし、報知情報からＣＧＩを検出するのに時間がかかる。そのため、はじめに第１測定結果報告メッセージ（1st measurement report）によって受信品質の良いセルのＰＣＩと測定した受信品質とが通知され、サービング基地局１８０１は受信した第1測定結果報告メッセージの中のセルの中からハンドオーバ先候補のセルを一つ選択し、選択したセルがＣＳＧセルの場合は、そのＣＳＧセルのＣＧＩを検出するようＵＥ（端末）に指示するためにＣＳＧセルのＰＣＩ及びＣＧＩ検出に必要な設定情報を含んだ測定用設定メッセージ(measurement configuration)をＵＥ（端末）に送信する。【０００７】
ＵＥ（端末）は測定用設定メッセージに基づいて指示されたＣＳＧセルの報知情報からＣＧＩを含むシステム情報(system information: SI)を検出し（これをSI readingと呼ぶ）、アクセス許可情報（ＣＳＧ ＩＤ）を用いてアクセス確認行う。そして、ＵＥ（端末）はシステム情報からＣＳＧセルのセル情報及びアクセス確認処理後のアクセス確認結果を第２測定結果報告メッセージ(2nd measurement report)でサービング基地局１８０１に通知する。また、システム情報検出時にはサービング基地局１８０１は、ＵＥ（端末）へのデータ送信を中断するgapやDRXを設定することで、ＵＥ（端末）は周辺基地局のシステム情報を検出することが可能になる。上記の動作のシーケンスの一例を図１９に示す。【０００８】
ここで、第２測定結果報告メッセージに含まれるアクセス許可情報が「アクセス許可無(non-member)」だった場合、サービング基地局２００１は、図２０に示すように、測定用設定メッセージにて、ＵＥが通知したＣＳＧセル(CSG cell 1)がサポートする周波数(e.g. f1)とは別の周波数(e.g. f2)の測定を指示する。
【先行技術文献】
【非特許文献】
【０００９】
【非特許文献１】“Way forward for handover to HeNB”, 3GPP  TSG-RAN WG2 meeting #63寄書 R2-084736
【００１０】
ＨｅＮＢ２００２が、図２０に示すように、複数の周波数(e.g. f1、f2)をサポートするＣＳＧセル(e.g. CSG cell 1、CSG cell 2)を持つ場合、サービング基地局２００１が、別の周波数として既にＵＥが「non-member」を通知したＣＳＧセル(e.g. CSG cell 1)と同一のＨｅＮＢ２００２が提供する別のＣＳＧセルがサポートする周波数(e.g. f2)のmeasurementを指示すると、ＵＥが再度、アクセス許可のないＣＳＧセル（e.g. CSG cell 2）をサービング基地局２００１に通知することになる。これにより、この通知に伴って使用されるリソースが無駄になる。
【発明の概要】
【００１１】
本発明は、上記の問題点に鑑み、アクセス許可のないＣＳＧセルを再度通知することにより使用されるリソースの無駄をなくすことができるハンドオーバ前処理システム、移動端末、基地局を提供することを目的とする。
【００１２】
上記目的を達成するために、本発明によれば、移動端末のハンドオーバ先を特定するための前処理を行うハンドオーバ前処理システムであって、前記移動端末の接続対象であり、前記移動端末がアクセス可能な範囲を示す複数のセルを提供し、前記セルのそれぞれの周波数情報を含む報知情報を前記移動端末に送信する基地局と、前記基地局から受信した前記報知情報に基づいて前記セルへのアクセス許可を確認し、前記アクセス許可がない場合、前記アクセス許可のないセルに対応する周波数情報を含む第１のメッセージ（後述する第２測定結果報告メッセージに相当）を生成し、前記移動端末自身が現在接続している接続基地局に前記第１のメッセージを送信する前記移動端末と、前記移動端末から受信した前記第１のメッセージに基づいて、前記第１のメッセージに含まれる周波数情報により特定される周波数以外の周波数を選択するよう指示するコマンドを含む第２のメッセージ（後述する測定用設定メッセージに相当）を前記移動端末に送信する前記接続局装置とを、備えるハンドオーバ前処理システムが提供される。この構成により、アクセス許可のないＣＳＧセルを再度通知することにより使用されるリソースの無駄をなくすことができる。
【００１３】
また、本発明によれば、移動端末のハンドオーバ先を特定するための前処理を行うハンドオーバ前処理システムにおける前記移動端末であって、前記移動端末の接続対象であり、前記移動端末がアクセス可能な範囲を示す複数のセルを提供し、前記セルのそれぞれの周波数情報を含む報知情報を送信する基地局から前記報知情報を受信する受信手段と、受信した前記報知情報に基づいて前記セルへのアクセス許可を確認するアクセス許可確認手段と、前記アクセス許可がない場合、前記アクセス許可のないセルに対応する周波数情報を抽出する抽出手段と、抽出された前記周波数情報を含む第１のメッセージ（後述する第２測定結果報告メッセージに相当）を生成し、前記移動端末自身が現在接続している接続基地局に前記第１のメッセージを送信する制御手段とを、備える移動端末が提供される。この構成により、アクセス許可のないＣＳＧセルを再度通知することにより使用されるリソースの無駄をなくすことができる。
【００１４】
また、本発明によれば、移動端末のハンドオーバ先を特定するための前処理を行うハンドオーバ前処理システムにおける前記移動端末の接続対象となる基地局であって、前記基地局によって提供される、前記移動端末がアクセス可能な範囲を示す複数のセルのそれぞれの周波数情報を含む報知情報を格納する格納手段と、前記格納手段から前記セルの周波数情報を取得し、取得された前記周波数情報を含む報知情報を生成し、前記移動端末に送信する制御手段とを、備える基地局が提供される。この構成により、アクセス許可のないＣＳＧセルを再度通知することにより使用されるリソースの無駄をなくすことができる。
【００１５】
また、本発明によれば、移動端末のハンドオーバ先を特定するための前処理を行うハンドオーバ前処理システムにおける前記移動端末が現在接続している基地局であって、前記移動端末の接続対象である接続対象基地局から送信され、前記基地局によって提供される、前記移動端末がアクセス可能な範囲を示す複数のセルのそれぞれの周波数情報を含む報知情報を受信した前記移動端末が、前記報知情報に基づいて前記セルへのアクセス許可を確認し、前記アクセス許可がない場合に、前記移動端末によって生成された、前記アクセス許可のないセルに対応する周波数情報を含む第１のメッセージ（後述する第２測定結果報告メッセージに相当）を受信する受信手段と、受信した前記第１のメッセージに基づいて、前記第１のメッセージに含まれる周波数情報により特定される周波数以外の周波数を選択するよう指示するコマンドを含む第２のメッセージ（後述する測定用設定メッセージに相当）を生成し、前記移動端末に送信する制御手段とを、備える基地局が提供される。この構成により、アクセス許可のないＣＳＧセルを再度通知することにより使用されるリソースの無駄をなくすことができる。
【００１６】
また、本発明によれば、移動端末のハンドオーバ先を特定するための前処理を行うハンドオーバ前処理システムであって、前記移動端末の接続対象である基地局によって提供される、前記移動端末がアクセス可能な範囲を示す複数のセルのそれぞれの周波数情報のうち、あらかじめ選択された前記周波数情報と同一の周波数情報を含む報知情報を所定の期間内に受信し、受信した前記報知情報に基づいて前記セルへのアクセス許可を確認し、前記アクセス許可がない場合、前記アクセス許可のないセルに対応する周波数情報を含む第１のメッセージを生成し、前記移動端末自身が現在接続している接続基地局に前記第１のメッセージを送信する前記移動端末と、前記移動端末から受信した前記第１のメッセージに基づいて、前記第１のメッセージに含まれる周波数情報により特定される周波数以外の周波数を選択するよう指示するコマンドを含む第２のメッセージを前記移動端末に送信する前記接続局装置とを、備えるハンドオーバ前処理システムが提供される。この構成により、付加的な報知情報を送信することなく、無駄なシグナリングを抑えることができる。なお、所定の期間とは後述するgapに相当する。
【００１７】
また、本発明によれば、移動端末のハンドオーバ先を特定するための前処理を行うハンドオーバ前処理システムにおける前記移動端末であって、受信する周波数情報をあらかじめ選択する周波数選択手段と、前記移動端末の接続対象である基地局によって提供される、前記移動端末がアクセス可能な範囲を示す複数のセルのそれぞれの周波数情報のうち、選択された前記周波数情報と同一の周波数情報を含む報知情報を所定の期間内に受信する受信手段と、受信した前記報知情報に基づいて前記セルへのアクセス許可を確認するアクセス許可確認手段と、前記アクセス許可がない場合、前記アクセス許可のないセルに対応する周波数情報を抽出する抽出手段と、抽出された前記周波数情報を含む第１のメッセージを生成し、前記移動端末自身が現在接続している接続基地局に前記第１のメッセージを送信する制御手段とを、備える移動端末が提供される。この構成により、付加的な報知情報を送信することなく、無駄なシグナリングを抑えることができる。
【００１８】
また、本発明によれば、移動端末のハンドオーバ先を特定するための前処理を行うハンドオーバ前処理システムにおける前記移動端末が現在接続している基地局であって、前記移動端末の接続対象である接続対象基地局によって提供される、前記移動端末がアクセス可能な範囲を示す複数のセルのそれぞれの周波数情報のうち、あらかじめ選択された前記周波数情報と同一の周波数情報を含む報知情報を所定の期間内に受信した前記移動端末が、前記報知情報に基づいて前記セルへのアクセス許可を確認し、前記アクセス許可のないセルに対応する周波数情報を抽出する際、抽出されない周波数情報を少なくとも含む第１のメッセージを生成した場合に、前記第１のメッセージを受信する受信手段と、受信した前記第１のメッセージに基づいて、前記第１のメッセージに含まれる抽出されない周波数情報により特定される周波数を選択するよう指示するコマンドを含む第２のメッセージを生成し、前記移動端末に送信する制御手段とを、備える基地局が提供される。この構成により、付加的な報知情報を送信することなく、無駄なシグナリングを抑えることができる。
【００１９】
なお、本発明は前記第１のメッセージに含まれるアクセス許可情報が「アクセス許可無(non-member)」だった場合、図２０に示すように、サービング基地局２００１は、測定用設定メッセージにて、ＵＥが通知したＣＳＧセル(CSG cell 1)がサポートする周波数(e.g. f1)とは別の周波数(e.g. f2)の測定を指示することを前提としている。ただし、ＣＳＧセル基地局が２値のＩＦＲＩビットと呼ばれる情報を報知している場合には、例えば、ＩＦＲＩビットの値が「TRUE」の場合には、サービング基地局は、ＵＥが通知した周波数(e.g. f1)とは別の周波数(e.g. f2)の測定を指示することなく、ＵＥが通知した周波数(e.g. f1)と同じ周波数を持つＣＳＧセルの中からハンドオーバ先のセルを選択し、一方ＩＦＲＩビットの値が「False」の場合は、別の周波数(e.g. f2)の測定を指示する。したがってＣＳＧセル基地局がＩＦＲＩビットを報知する際には、ＩＦＲＩビットが「False」の場合のみ本発明が適用される。その場合には前記第１のメッセージにＵＥがＣＳＧセル基地局から受信した報知情報からＩＦＲＩビットの値を含める。
【００２０】
本発明のハンドオーバ前処理システム、移動端末、基地局は、アクセス許可のないＣＳＧセルを再度通知することにより使用されるリソースの無駄をなくすことができる。
【図面の簡単な説明】
【００２１】
【図１】本発明の第１の実態の形態に係るＣＳＧセル基地局の構成の一例を示す構成図
【図２】本発明の第１の実施の形態に係るサービング基地局の構成の一例を示す構成図
【図３】本発明の第１の実態の形態に係るＵＥの構成の一例を示す構成図
【図４】本発明の第１の実態の形態における処理シーケンスの一例を示すシーケンスチャート
【図５】本発明の第２の実施の形態における周波数ごとにカバレッジの異なるＣＳＧセルを示す図
【図６】本発明の第２の実施の形態に係るＣＳＧセル基地局の構成の一例を示す構成図
【図７】本発明の第２の実態の形態における処理シーケンスの一例を示すシーケンスチャート
【図８】本発明の第３の実施の形態における周波数ごとにカバレッジの異なるＣＳＧセルを示し、ＵＥがＨｅＮＢの近傍にいる場合を示す図
【図９】本発明の第３の実施の形態に係るＣＳＧセル基地局の構成の一例を示す構成図
【図１０】本発明の第３の実態の形態に係るＵＥの構成の一例を示す構成図
【図１１】本発明の第３の実態の形態における処理シーケンスの一例を示すシーケンスチャート
【図１２】本発明の第４の実施の形態における１つのＨｅＮＢがmember ＣＳＧセル及びnon-member ＣＳＧセルを提供することを示す図
【図１３】本発明の第４の実施の形態に係るＣＳＧセル基地局の構成の一例を示す構成図
【図１４】本発明の第５の実施の形態に係るＣＳＧセル基地局の構成の一例を示す構成図
【図１５】本発明の第５の実施の形態に係るＵＥの構成の一例を示す構成図
【図１６】本発明の第５の実施の形態における処理シーケンスの一例を示すシーケンスチャート
【図１７】従来のＣＳＧセルシステムの構成の一例を示す図
【図１８】従来のPCI Confusionの一例を示す図
【図１９】従来のＣＳＧセルを含む測定結果報告メッセージの処理シーケンスの一例を示すシーケンスチャート
【図２０】従来のアクセス許可のない場合の基地局動作の一例を示す図
【図２１】本発明の第６の実施の形態に係るＵＥの構成の一例を示す構成図
【図２２】本発明の第６の実施の形態に係るサービング基地局の構成の一例を示す構成図
【図２３】本発明の第６の実施の形態における処理シーケンスの一例を示すシーケンスチャート
【発明を実施するための形態】
【００２２】
＜第１の実施の形態＞
第１の実施の形態でのポイントは、複数のＣＳＧセルを提供（サポート）するＨｅＮＢ（ＣＳＧセル基地局）が、自身が提供するＣＳＧセルに対応する周波数の情報を含む報知情報を報知し、ＵＥが「non-member（アクセス許可がない）」のＣＳＧセルを検出した際には、報知情報から取得した同一ＨｅＮＢが提供する「non-member」のＣＳＧセルの周波数情報をサービング基地局に通知することである。
【００２３】
具体的な動作としては、まずＣＳＧセル基地局は自身が提供するＣＳＧセルに対応する全周波数情報（すべての周波数情報）を報知する。ＵＥは、ＣＳＧセル基地局が報知するシステム情報（ＳＩ）からアクセス許可を確認し、アクセス許可がない場合には、ＣＳＧセル基地局の報知情報から取得したアクセス許可のないＣＳＧセルの全周波数情報を第２測定結果報告メッセージに付加する。ＣＳＧセルの周波数情報を付加した第２測定結果報告メッセージを受信したサービング基地局は、通知されたＣＳＧセルの周波数以外の周波数を測定するようにＵＥに指示する。なお、ＣＳＧセル基地局がＥｘｔｅｎｓｉｏｎ Ｃａｒｒｉｅｒ（拡張キャリア）と呼ばれる拡張セルを提供する場合には、拡張セル単独では通信できないので、第２測定結果報告メッセージにＥｘｔｅｎｓｉｏｎ Ｃａｒｒｉｅｒの周波数情報を付加してもよい。
【００２４】
なお、第２測定結果報告メッセージによるＵＥからのＣＳＧセルの周波数情報の通知に頼らずに、サービング基地局が周辺ＣＳＧセルの情報をあらかじめ収集するAutomatic Neighbour Relation(ＡＮＲ)という機能を利用してもよい。これにより、第２測定結果報告メッセージ受信時に通知されたＣＳＧセルが「non-member」だった場合に、ＵＥに測定させる周波数としてＡＮＲで収集した周辺セル情報をもとに、「non-member」のＣＳＧセルと同一ＨｅＮＢのＣＳＧセルがサポートする周波数以外の周波数を選択してもよい。
【００２５】
ＡＮＲとは基地局が基地局に接続しているＵＥからの測定結果報告メッセージの内容から周辺のセル情報を収集する機能である。収集した各ＣＳＧセルの情報から、同一ＨｅＮＢが提供するものかどうかを判断する指標として、例えば各基地局に割り当てられるＩＤであるｅＮＢ ＩＤが考えられる。なお、このｅＮＢ ＩＤはＵＥからの測定結果報告メッセージの中の周辺のセル情報に含まれるＣＧＩから抽出できる。
【００２６】
第１の実施の形態により、従来技術のように、同一ＨｅＮＢが提供するアクセス許可のないＣＳＧセルをＵＥがサービング基地局に再度通知することを防ぐことができる。これにより無線リソースを浪費することを防ぐことができ、ＵＥがハンドオーバ可能なセルを早く通知できるようになる。なお、これにより、サービング基地局が何度もＵＥからの通知を受けることも防ぐことができ、サービング基地局のリソースの浪費も防ぐことができる。図１、図２、図３は、第１の実施の形態におけるＣＳＧセル基地局、サービング基地局、ＵＥの構成の一例をそれぞれ示す図である。
【００２７】
図１に示すように、ＣＳＧセル基地局１００は、ＵＥ通信ＩＦ１０１、制御部１０２、同一ＨｅＮＢ内の全周波数情報格納部１０３から構成され、制御部１０２は報知情報生成／送信部１０４を備える。ＵＥ通信ＩＦ１０１は、ＵＥ３００などと通信を行う際に用いられるインタフェースである。制御部１０２はＣＳＧセル基地局１００の動作を制御するものであり、その中の報知情報生成／送信部１０４は、ＵＥ３００に対して周波数情報を報知するための報知情報（周波数情報以外にそれぞれのセルに関するセル情報（ＳＩ）などを含んでいてもよく、以下で説明する他の実施の形態においても同様）などを生成し、ＵＥ通信ＩＦ１０１を介してＵＥ３００に送信するものである。同一ＨｅＮＢ内の全周波数情報格納部１０３は、同一のＨｅＮＢがサポートする周波数情報を格納するものである。
【００２８】
また、図２に示すように、サービング基地局２００は、ＵＥ通信ＩＦ２０１、制御部２０２から構成され、制御部２０２は、測定結果報告メッセージ取得部２０３、測定用設定メッセージ生成／送信部２０４、測定周波数選択部２０５から構成されている。ＵＥ通信ＩＦ２０１は、ＵＥ３００などと通信を行う際に用いられるインタフェースである。制御部２０２はサービング基地局２００の動作を制御するものであり、その中の測定結果報告メッセージ取得部２０３は、ＵＥ通信ＩＦ２０１を介して受信したＵＥ３００からの測定結果報告メッセージ（第２測定結果報告メッセージに相当）を取得し、測定周波数選択部２０５に送信するものである。
【００２９】
測定周波数選択部２０５は、測定結果報告メッセージに基づいて、アクセス許可のないＣＳＧセルの周波数を含むか判断し、含むと判断された場合に、測定用設定メッセージ生成／送信部２０４は、通知（報告)された周波数以外の周波数をＵＥ３００に測定させるための測定用設定メッセージを生成し、ＵＥ通信ＩＦ２０１を介してＵＥ３００に送信するものである。
【００３０】
また、図３に示すように、ＵＥ３００は、基地局通信ＩＦ３０１、制御部３０２から構成され、制御部３０２は、報知情報取得部３０３、周波数情報抽出部３０４、セル情報抽出部３０５、測定結果報告メッセージ生成／送信部３０６、アクセス許可確認部３０７から構成されている。基地局通信ＩＦ３０１は、サービング基地局やＣＳＧセル基地局などと通信を行う際に用いられるインタフェースである。制御部３０２はＵＥ３００の動作を制御するものであり、その中の報知情報取得部３０３は、ＣＳＧセル基地局から報知される周波数情報を含む報知情報を基地局通信ＩＦ３０１を介して取得するものである。
【００３１】
セル情報抽出部３０５は、取得された報知情報に基づいてセル情報を抽出するものである。アクセス許可確認部３０７は、抽出されたセル情報に基づいてアクセス許可を確認するものである。周波数情報抽出部３０４は、アクセス許可のない周波数情報を抽出するものである。測定結果報告メッセージ生成／送信部３０６は、抽出された周波数情報を含む第２測定結果報告メッセージを生成し、基地局通信ＩＦ３０１を介して送信するものである。
【００３２】
また、第１の実施の形態の処理シーケンスの一例について図４を用いて説明する。図４に示すように、ＣＳＧセル基地局１００は、自身が提供するＣＳＧセルの全周波数情報を含む報知情報を報知する（ステップＳ４０１）。ＵＥ３００は報知情報からセル情報の抽出を行い、アクセス許可の確認を行う（ステップＳ４０２）。ＵＥ３００はアクセス許可があるか否かを判断し（ステップＳ４０３）、アクセス許可がない場合、アクセス許可のないセルの周波数情報を抽出し（ステップＳ４０４）、抽出された周波数情報を第２測定結果報告メッセージに付加し、第２測定結果報告メッセージをサービング基地局２００に送信する（ステップＳ４０５）。
【００３３】
第２測定結果報告メッセージを受信したサービング基地局２００は、通知されたＣＳＧセルの周波数以外の周波数を測定するようにＵＥに指示する。すなわち、サービング基地局２００は、通知されたＣＳＧセルの周波数以外の周波数を測定させるために、通知されたＣＳＧセルの周波数以外の周波数を選択するよう指示するコマンドなどを生成（測定周波数選択）し（ステップＳ４０６）、生成されたコマンド（測定周波数情報）を含む測定用設定メッセージを生成し、ＵＥ３００に送信する（ステップＳ４０７）。なお、ステップＳ４０３において、アクセス許可があると判断された場合、従来動作を行う。
【００３４】
＜第２の実施の形態＞
第１の実施の形態は、同一ＨｅＮＢがサポートするＣＳＧセルがほぼ同一のカバレッジを有する場合に好適である。第２の実施の形態ではカバレッジが異なる場合について説明する。
【００３５】
図５に示すように、「non-member」のＣＳＧセル（CSG cell 1）を提供するＨｅＮＢと同一のＨｅＮＢが提供するＣＳＧセルの中でカバレッジの小さいＣＳＧセル（CSG cell 2）に対応する周波数(f2)に対しては、ＵＥは別のＨｅＮＢが提供する「アクセス許可のある（member）」ＣＳＧセル(CSG cell 4)を検出する可能性がある。そのため、この場合、サービング基地局が、第２測定結果報告メッセージで「non-member」と通知された後にＵＥに測定を指示する周波数としてf2を除外しないようにする必要がある。
【００３６】
そこで、第２の実施の形態では、同一ＨｅＮＢがサポートする全周波数の中から、報知するＣＳＧセル基地局自身とカバレッジが同等あるいはそれ以上であるＣＳＧセルの周波数のみを選択する。これにより、ＵＥは、第２測定結果報告メッセージを用いてカバレッジの小さいＣＳＧセルに対応する周波数をサービング基地局に通知しないので、ＵＥがその周波数を測定することが可能になる。
【００３７】
第２の実施の形態により、ＨｅＮＢがカバレッジの異なるＣＳＧセルを提供する場合においても、同一ＨｅＮＢが提供するアクセス許可のないＣＳＧセルをＵＥがサービング基地局に再度通知することを防ぐことができる。これにより、無線リソースを浪費することを防ぐことができ、ＵＥがハンドオーバ可能なセルを早く通知できるようになる。第２の実施の形態におけるＣＳＧセル基地局の構成の一例を図６に示す。なお、サービング基地局及びＵＥの構成は第１の実施の形態と同様であるため説明を省略する。
【００３８】
図６に示すように、ＣＳＧセル基地局６００は、ＵＥ通信ＩＦ６０１、制御部６０２、同一ＨｅＮＢ内の全周波数／カバレッジ情報格納部６０３から構成され、制御部６０２は報知情報生成／送信部６０４、周波数選択部６０５を備える。ＵＥ通信ＩＦ６０１は、ＵＥなどと通信を行う際に用いられるインタフェースである。制御部６０２はＣＳＧセル基地局６００の動作を制御するものであり、その中の報知情報生成／送信部６０４は、ＵＥに対して、周波数選択部６０５によって選択された周波数情報を報知するための報知情報などを生成し、ＵＥ通信ＩＦ６０１を介してＵＥに送信するものである。すなわち、報知情報を、自身のカバレッジと同等又はそれ以上のカバレッジのセルの周波数情報を含めた報知情報としてＵＥに送信する。
【００３９】
周波数選択部６０５は、ＣＳＧセル基地局自身とカバレッジが同等あるいはそれ以上のＣＳＧセルの周波数の情報を選択するものである。同一ＨｅＮＢ内の全周波数／カバレッジ情報格納部６０３は、同一のＨｅＮＢがサポートする周波数情報とカバレッジの情報を格納するものである。
【００４０】
また、第２の実施の形態の処理シーケンスの一例について図７を用いて説明する。図７に示すように、ＣＳＧセル基地局６００は、自身とカバレッジが同等あるいはそれ以上のＣＳＧセルの周波数の情報を選択する（周波数選択：ステップＳ７０１）。ＣＳＧセル基地局６００は、選択された周波数情報を含む報知情報を報知する（ステップＳ７０２）。ＵＥは受信した報知情報からセル情報の抽出を行い、アクセス許可の確認を行う（ステップＳ７０３）。ＵＥはアクセス許可があるか否かを判断し（ステップＳ７０４）、アクセス許可がない場合、アクセス許可のないセルの周波数情報を抽出し（ステップＳ７０５）、抽出された周波数情報を第２測定結果報告メッセージに付加し、第２測定結果報告メッセージをサービング基地局に送信する（ステップＳ７０６）。
【００４１】
第２測定結果報告メッセージを受信したサービング基地局は、通知されたＣＳＧセルの周波数以外の周波数を測定するようにＵＥに指示する。すなわち、サービング基地局は、通知されたＣＳＧセルの周波数以外の周波数を測定させるために、通知されたＣＳＧセルの周波数以外の周波数を選択するよう指示するコマンドなどを生成（測定周波数選択）し（ステップＳ７０７）、生成されたコマンド（測定周波数情報）を含む測定用設定メッセージを生成し、ＵＥ３００に送信する（ステップＳ７０８）。なお、ステップＳ７０４において、アクセス許可があると判断された場合、従来動作を行う。
【００４２】
＜第３の実施の形態＞
第２の実施の形態では、カバレッジの小さいＣＳＧセルに対応する周波数に対しては、サービング基地局がＵＥに測定を指示できるようにしている。図８に示すように、ＵＥが「non-member」のＣＳＧセルを提供するＨｅＮＢ１の近傍にいる場合、カバレッジの小さいＣＳＧセル（CSG cell 2）に対応する周波数(f2)に対して、サービング基地局がＵＥに測定を指示しても、ＵＥはＨｅＮＢ１の近傍であるので、ＵＥは再度「non-member」のＣＳＧセル（CSG cell 2）を検出することになる。
【００４３】
そこで、第３の実施の形態では、ＵＥが第２測定結果報告メッセージを送信する前にＣＳＧセルの受信品質を測定し、「non-member」のＣＳＧセルの受信品質がある閾値以上の場合、ＵＥはＨｅＮＢの近傍であるとみなして、カバレッジの小さいＣＳＧセルであっても対応する周波数情報を第２測定結果報告メッセージに付加する、つまりカバレッジに関係なく、第１の実施の形態と同様にＨｅＮＢがサポートするすべての周波数情報を付加する。
【００４４】
一方、ある閾値以下の場合、ＵＥはＨｅＮＢの近傍でないとみなして、第２の実施の形態と同様にカバレッジの小さいＣＳＧセルに対応する周波数情報を第２測定結果報告メッセージに付加しない。なお、この閾値の情報はＣＳＧセル基地局から報知され、同一ＨｅＮＢがサポートするＣＳＧセルの中で最もカバレッジの小さいＣＳＧセルを受信できる程度の受信品質として設定される。受信品質としては伝搬路減衰を示すpath lossあるいはＣＳＧセルの受信電力が考えられる。
【００４５】
ＵＥがカバレッジの小さいＣＳＧセルの周波数を選択するために、第１の実施の形態において報知していた周波数情報に加えて各周波数に対応するＣＳＧセルのカバレッジ情報を付加する。このカバレッジ情報として、例えば報知するＣＳＧセル自身と比較して他のＣＳＧセルのカバレッジが同等以上か、同等未満かを示すフラグが考えられる。第３の実施の形態により、アクセス許可のないＣＳＧセルをＵＥがサービング基地局に再度通知することをＵＥの状況に応じてより最適に防ぐことができる。図９、図１０は、それぞれ第３の実施の形態におけるＣＳＧセル基地局及びＵＥの構成の一例を示す図である。なお、サービング基地局の構成は第１の実施の形態と同様であるため説明は省略する。
【００４６】
図９に示すように、ＣＳＧセル基地局９００は、ＵＥ通信ＩＦ９０１、制御部９０２、同一ＨｅＮＢ内の全周波数／カバレッジ情報格納部９０３から構成され、制御部９０２は報知情報生成／送信部９０４を備える。ＵＥ通信ＩＦ９０１は、ＵＥ１０００などと通信を行う際に用いられるインタフェースである。制御部９０２はＣＳＧセル基地局９００の動作を制御するものであり、その中の報知情報生成／送信部９０４は、ＵＥ１０００に対して、周波数情報とカバレッジ情報を報知するための報知情報などを生成し、ＵＥ通信ＩＦ６０１を介してＵＥ１０００に送信するものである。すなわち、報知情報にセルのカバレッジ情報を含めてＵＥ１０００に送信する。同一ＨｅＮＢ内の全周波数／カバレッジ情報格納部９０３は、同一のＨｅＮＢがサポートする周波数情報とカバレッジの情報を格納するものである。
【００４７】
また、図１０に示すように、ＵＥ１０００は、基地局通信ＩＦ１００１、制御部１００２から構成され、制御部１００２は、報知情報取得部１００３、受信品質測定／近傍判定部１００４、周波数／カバレッジ情報抽出部１００５、周波数選択部１００６、セル情報抽出部１００７、測定結果報告メッセージ生成／送信部１００８、アクセス許可確認部１００９から構成されている。基地局通信ＩＦ１００１は、サービング基地局やＣＳＧセル基地局９００などと通信を行う際に用いられるインタフェースである。制御部１００２はＵＥ１０００の動作を制御するものであり、その中の報知情報取得部１００３は、ＣＳＧセル基地局から報知される、周波数情報とカバレッジ情報を含む報知情報を基地局通信ＩＦ１００１を介して取得するものである。
【００４８】
受信品質測定／近傍判定部１００４は、ＣＳＧセルの受信品質を測定し、「non-member」のＣＳＧセルの受信品質が閾値以上か否かを判定するものである。周波数／カバレッジ情報抽出部１００５は、取得した報知情報から周波数情報とカバレッジ情報を抽出するものである。周波数選択部１００６は、受信品質測定／近傍判定部１００４による判定に基づいて、第２測定結果報告メッセージに付加する周波数情報を選択するものである。セル情報抽出部１００７は、取得された報知情報に基づいてセル情報を抽出するものである。測定結果報告メッセージ生成／送信部１００８は、選択された周波数情報を含む第２測定結果報告メッセージを生成し、基地局通信ＩＦ１００１を介して送信するものである。アクセス許可確認部１００９は、抽出されたセル情報に基づいてアクセス許可を確認するものである。
【００４９】
すなわち、ＵＥ１０００は、第２測定結果報告メッセージを生成する際、アクセス許可のないセルの受信品質を測定し、受信品質が所定の閾値以上の場合に、アクセス許可のないセルに対応する周波数情報を含むメッセージとして第２測定結果報告メッセージを生成し、受信品質が所定の閾値より小さい場合に、該当するセルのカバレッジと同等又はそれ以上のカバレッジのセルの周波数情報を含むメッセージとして第２測定結果報告メッセージを生成する。
【００５０】
また、第３の実施の形態の処理シーケンスの一例について図１１を用いて説明する。図１１に示すように、ＣＳＧセル基地局９００は同一ＨｅＮＢが提供するＣＳＧセルの全周波数情報とカバレッジ情報を含む報知情報を報知する（ステップＳ１１０１）。ＵＥ１０００は受信した報知情報からセル情報の抽出を行い、アクセス許可の確認を行う（ステップＳ１１０２）。ＵＥ１０００はアクセス許可があるか否かを判断し（ステップＳ１１０３）、アクセス許可がない場合、アクセス許可のないＣＳＧセルの受信品質を測定し、その受信品質が閾値以上か否かを判定する（受信品質測定及び近傍判定：ステップＳ１１０４）。
【００５１】
ＵＥ１０００は報知情報から周波数情報とカバレッジ情報を抽出する（ステップＳ１１０５）。ＵＥ１０００は、受信品質が閾値以上の場合、ＨｅＮＢの近傍とみなし、ＨｅＮＢが提供するすべての周波数情報を選択し、一方、受信品質が閾値以上でない場合、ＨｅＮＢの近傍ではないとみなし、カバレッジの小さいＣＳＧセルに対応する周波数情報を選択せず、それ以外の周波数情報を選択する（周波数選択：ステップＳ１１０６）。
【００５２】
ＵＥ１０００は、選択された周波数情報を含む第２測定結果報告メッセージを生成し、第２測定結果報告メッセージをサービング基地局に送信する（ステップＳ１１０７）。第２測定結果報告メッセージを受信したサービング基地局は、通知されたＣＳＧセルの周波数以外の周波数を測定するようにＵＥに指示する。すなわち、サービング基地局は、通知されたＣＳＧセルの周波数以外の周波数を測定させるために、通知されたＣＳＧセルの周波数以外の周波数を選択するよう指示するコマンドなどを生成（測定周波数選択）し（ステップＳ１１０８）、生成されたコマンド（測定周波数情報）を含む測定用設定メッセージを生成し、ＵＥ３００に送信する（ステップＳ１１０９）。なお、ステップＳ１１０３において、アクセス許可があると判断された場合、従来動作を行う。
【００５３】
＜第４の実施の形態＞
第４の実施の形態は、図１２に示すように、ＨｅＮＢがＵＥにとってアクセス許可のある(member)ＣＳＧセルとアクセス許可のない(non-member)ＣＳＧセルを両方提供している場合における実施例である。
【００５４】
具体的には、第１の実施の形態のように、ＣＳＧセル基地局が報知する情報として全周波数情報を報知するのではなく、全周波数情報の中から、ＣＳＧセル基地局自身と同一のアクセス許可情報（ＣＳＧ ＩＤ）を持つＣＳＧセルの周波数情報のみ選択して報知する。第４の実施の形態により、ＨｅＮＢが異なるアクセス許可情報（ＣＳＧ ＩＤ）を持つＣＳＧセルを提供している場合においても、同一ＨｅＮＢが提供するアクセス許可のないＣＳＧセルをＵＥがサービング基地局に再度通知することを防ぐことができる。これにより、無線リソースを浪費することを防ぐことができ、ＵＥがハンドオーバ可能なセルを早く通知できるようになる。第４の実施の形態におけるＣＳＧセル基地局の構成の一例を図１３に示す。サービング基地局、ＵＥの構成、及び処理シーケンスについては第２の実施の形態と同様であるため説明は省略する。
【００５５】
図１３に示すように、ＣＳＧセル基地局１３００は、ＵＥ通信ＩＦ１３０１、制御部１３０２、同一ＨｅＮＢ内の全周波数／アクセス許可情報格納部１３０３から構成され、制御部１３０２は報知情報生成／送信部１３０４、周波数選択部１３０５を備える。ＵＥ通信ＩＦ１３０１は、ＵＥなどと通信を行う際に用いられるインタフェースである。制御部１３０２はＣＳＧセル基地局１３００の動作を制御するものであり、その中の報知情報生成／送信部１３０４は、ＵＥに対して、周波数選択部１３０５によって選択された周波数情報を報知するための報知情報などを生成し、ＵＥ通信ＩＦ１３０１を介してＵＥに送信するものである。すなわち、ＣＳＧセル基地局１３００は、報知情報を、セルへのアクセスが可能か否かを判断するためのアクセス許可情報が同一のセルの周波数情報を含めた報知情報としてＵＥに送信する。
【００５６】
周波数選択部１３０５は、自身と同一のアクセス許可情報を有するＣＳＧセルの周波数の情報を選択するものである。同一ＨｅＮＢ内の全周波数／アクセス許可情報格納部１３０３は、同一のＨｅＮＢがサポートする周波数情報とアクセス許可の情報を格納するものである。
【００５７】
＜第５の実施の形態＞
第５の実施の形態では、ＣＳＧセル基地局が、同一ＨｅＮＢが提供するすべてのＣＳＧセルの情報（周波数情報とアクセス許可情報）を報知し、ＵＥがnon-memberのＣＳＧセルに対応する周波数のみを第２測定結果報告メッセージで通知することを特徴とする。
【００５８】
具体的には、ＣＳＧセル基地局が報知する情報として、同一ＨｅＮＢがサポートするＣＳＧセルの全周波数情報及びアクセス許可情報（ＣＳＧ ＩＤ）を報知する。ＵＥはアクセス許可確認処理をした結果、「non-member」のＣＳＧセルであった場合には「non-member」のＣＳＧセルの報知情報に含まれる他のＣＳＧセルのアクセス許可情報（ＣＳＧ ＩＤ）を用いてアクセス許可確認処理を行い、「non-member」のＣＳＧセルの周波数情報を選択して、第２測定結果報告メッセージに付加する。また、アクセス許可確認処理の結果「member」のＣＳＧセルを検出した場合には、第２測定結果報告メッセージでアクセス許可を有するＣＳＧセル情報を通知することでそのＣＳＧセルに対してハンドオーバ処理を開始することが可能となる。なお、報知情報にアクセス制限のあるＣＳＧセルの機能とアクセス制限のないオープンセルの機能を両方有するＨｙｂｒｉｄセルの情報が含まれる場合には、第２測定結果報告メッセージでそのＨｙｂｒｉｄセル情報を通知することでオープンセル機能を用いてＨｙｂｒｉｄセルに対してハンドオーバ処理を開始することが可能となる。
【００５９】
第５の実施の形態におけるＣＳＧセル基地局及びＵＥの構成の一例を図１４、図１５にそれぞれ示す。なお、第５の実施の形態におけるサービング基地局の構成は第１の実施の形態と同様であるため説明は省略する。
【００６０】
図１４に示すように、ＣＳＧセル基地局１４００は、ＵＥ通信ＩＦ１４０１、制御部１４０２、同一ＨｅＮＢ内の全周波数／アクセス許可情報格納部１４０３から構成され、制御部１４０２は報知情報生成／送信部１４０４を備える。ＵＥ通信ＩＦ１４０１は、ＵＥ１５００などと通信を行う際に用いられるインタフェースである。制御部１４０２はＣＳＧセル基地局１４００の動作を制御するものであり、その中の報知情報生成／送信部１４０４は、ＵＥ１５００に対して、周波数情報とアクセス許可情報を報知するための報知情報などを生成し、ＵＥ通信ＩＦ１４０１を介してＵＥ１５００に送信するものである。すなわち、ＣＳＧセル基地局１４００は、セルへのアクセスが可能か否かを判断するためのアクセス許可情報を報知情報に含めてＵＥ１５００に送信する。同一ＨｅＮＢ内の全周波数／アクセス許可情報格納部１４０３は、同一のＨｅＮＢがサポートする周波数情報とアクセス許可の情報を格納するものである。
【００６１】
また、図１５に示すように、ＵＥ１５００は、基地局通信ＩＦ１５０１、制御部１５０２から構成され、制御部１５０２は、報知情報取得部１５０３、（他のＣＳＧセルの）周波数／アクセス許可情報抽出部１５０４、周波数選択部１５０５、セル情報抽出部１５０６、測定結果報告メッセージ生成／送信部１５０７、アクセス許可確認部１５０８から構成されている。基地局通信ＩＦ１５０１は、サービング基地局やＣＳＧセル基地局１４００などと通信を行う際に用いられるインタフェースである。制御部１５０２はＵＥ１５００の動作を制御するものであり、その中の報知情報取得部１５０３は、ＣＳＧセル基地局１４００から報知される、周波数情報とアクセス許可情報を含む報知情報を基地局通信ＩＦ１５０１を介して取得するものである。
【００６２】
（他のＣＳＧセルの）周波数／アクセス許可情報抽出部１５０４は、取得した報知情報から周波数情報とアクセス許可情報を抽出するものである。周波数選択部１５０５は、（他のＣＳＧセルの）周波数／アクセス許可情報抽出部１５０４によって抽出された結果と、アクセス許可確認部１５０８によるアクセス確認の結果とに基づいて、第２測定結果報告メッセージに付加する周波数情報を選択するものである。セル情報抽出部１５０６は、取得された報知情報に基づいてセル情報を抽出するものである。測定結果報告メッセージ生成／送信部１５０７は、選択された周波数情報を含む第２測定結果報告メッセージを生成し、基地局通信ＩＦ１５０１を介して送信するものである。アクセス許可確認部１５０８は、抽出されたセル情報とアクセス許可情報に基づいてアクセス許可を確認するものである。
【００６３】
すなわち、ＵＥ１５００は、第２測定結果報告メッセージを生成する際、アクセス許可のないセルの報知情報に含まれるアクセス許可情報を用いて他のセルへのアクセス許可の確認処理を行い、アクセス許可のないセルに対応する周波数情報を含むメッセージとして第２測定結果報告メッセージを生成する。
【００６４】
また、第５の実施の形態の処理シーケンスの一例について図１６を用いて説明する。図１６に示すように、ＣＳＧセル基地局１４００は同一ＨｅＮＢが提供するＣＳＧセルのすべての周波数情報とアクセス許可情報を含む報知情報を報知する（ステップＳ１６０１）。ＵＥ１５００は受信した報知情報からセル情報の抽出を行い、アクセス許可の確認を行う（ステップＳ１６０２）。ＵＥ１５００はアクセス許可があるか否かを判断し（ステップＳ１６０３）、アクセス許可がない場合、ＵＥ１５００は周波数情報とアクセス許可情報を抽出する（ステップＳ１６０４）。ＵＥ１５００は、「non-member」のＣＳＧセルの報知情報に含まれる他のＣＳＧセルのアクセス許可情報を用いてアクセス許可確認を行い（ステップＳ１６０５）、「non-member」のＣＳＧセルの周波数情報を選択する（ステップＳ１６０６）。
【００６５】
ＵＥ１５００は、選択された周波数情報を含む第２測定結果報告メッセージを生成し、第２測定結果報告メッセージをサービング基地局に送信する（ステップＳ１６０７）。第２測定結果報告メッセージを受信したサービング基地局は、通知されたＣＳＧセルの周波数以外の周波数を測定するようにＵＥに指示する。すなわち、サービング基地局は、通知されたＣＳＧセルの周波数以外の周波数を測定させるために、通知されたＣＳＧセルの周波数以外の周波数を選択するよう指示するコマンドなどを生成（測定周波数選択）し（ステップＳ１６０８）、生成されたコマンド（測定周波数情報）を含む測定用設定メッセージを生成し、ＵＥ３００に送信する（ステップＳ１６０９）。なお、ステップＳ１６０３において、アクセス許可があると判断された場合、従来動作を行う。
【００６６】
＜第６の実施の形態＞
第６の実施の形態では、これまでの第１から第５の実施の形態と異なり各ＣＳGセルが放置情報として同一HeNBが提供する別のCSGセルの情報を放置する必要がない。これはタイ行き拡張技術として検討されているCarrier Aggregationと呼ばれる技術を用いてＵＥが複数の帯域を同時に受信することで実現できる。この際にＵＥは複数の周波数帯域に対して同一タイミングのギャップ（gap）をあけることでＵＥがデータ受信をしない間に別のＨｅＮＢが報知する複数周波数のＣＳＧセルに関するシステム情報（System information）を受信する。同一ＨｅＮＢが提供する各ＣＳＧセルは同一タイミングで報知情報を送信しているため、ＵＥは同一タイミングのgapで同一ＨｅＮＢが提供する異なる周波数のＣＳＧセルのシステム情報を受信し、各ＣＳＧセルのセル情報の抽出及びアクセス許可の確認をすることが可能である。
【００６７】
ＵＥが複数の周波数帯域のシステム情報を受信する際に選択する周波数帯は、ＵＥがサービング基地局から指示された周波数だけでなく、事前にＵＥがfingerprintとして保持していた過去接続したセル情報を元に選択する。ＵＥが複数の周波数帯のＣＳＧセルのシステム情報を元にアクセス確認を行った結果、すべてのＣＳＧセルに対してアクセス許可がないことが分かった場合、つまり「non-member」のＣＳＧセルを検出した場合には、検出した「non-member」のＣＳＧセルのセル情報を第２測定結果報告メッセージにてサービング基地局に通知する。なお、ＵＥは、サービング基地局から指示された周波数情報以外の周波数情報を第２測定結果報告メッセージにてサービング基地局に通知してもよい（すなわち、制御手段は、抽出された周波数情報のうち、現在接続している接続基地局から指示された周波数情報以外の周波数情報を少なくとも含む第１のメッセージを生成し通知する）。
【００６８】
もし、ＨｅＮＢが例えばＧＰＳなどを用いてＨｅＮＢ間でタイミング同期をしている場合には、ＵＥがサービング基地局から指示されたセルを提供するＨｅＮＢ以外に同時に検出できた他のＨｅＮＢが提供するnon-memberのＣＳＧセルのセル情報を第２測定結果報告メッセージに含めてもよい（すなわち、複数の基地局それぞれが同期している場合に、制御手段は、抽出された周波数情報のうちに他の基地局が提供するセルの周波数情報が含まれる場合、他の基地局が提供するセルの周波数情報を少なくとも含む第１のメッセージを生成する）。次に、第２測定結果報告メッセージを受信したサービング基地局は、これまでの第１から第５の実施の形態と同様に、第２測定結果報告メッセージで通知された周波数以外の周波数を測定するようにＵＥに指示する。サービング基地局が測定を指示する周波数としては、例えば、まず上記の条件を満たし、かつシステム情報受信を行っていない周波数であり、なおかつ第１測定結果報告メッセージで通知した受信品質の良いセルに対応する周波数を選択する方法が考えられる。
【００６９】
なお、ＵＥが送信する第２測定結果報告メッセージにはＣＳＧセルが検出できなかった周波数情報を含めてもよい（すなわち、制御手段は、抽出手段によって抽出されない周波数情報を少なくとも含む第１のメッセージを生成する）。この場合、第２測定結果報告メッセージを受信したサービング基地局は第２測定結果報告メッセージで通知されたＣＳＧセルのない周波数、つまりマクロセルと干渉になり得るＣＳＧセルのないマクロセルの周波数を測定するようにＵＥに指示することになる。
【００７０】
第６の実施の形態により、これまでの第１から第５の実施の形態のように、各ＣＳＧセルが報知情報として同一ＨｅＮＢが提供する別のＣＳＧセルの情報を報知することなく、アクセス許可の無いＣＳＧセルを繰り返し測定することを防ぐことができ、無線リソースを浪費することを防ぐことができる。またＵＥがハンドオーバ可能なセルを早く通知できる。
【００７１】
ここで、第６の実施の形態に係るＵＥの構成の一例を図２１に示す。なお、ＣＳＧセルの構成は通常のＣＳＧセルの構成であるため説明は省略する。図２１に示すように、ＵＥ２１００は、基地局通信ＩＦ２１０１、制御部２１０２、過去接続したセル情報格納部２１０７から構成され、制御部２１０２は、報知情報取得部２１０３、セル情報抽出部２１０４、測定結果報告メッセージ生成／送信部２１０５、アクセス許可確認部２１０６から構成されている。
【００７２】
過去接続したセル情報格納部２１０７は、fingerprintとして過去に接続したセル情報を格納するものであり、受信周波数を選択する際などに用いられる。セル情報抽出部２１０４は、上述したように、指示されたセルの周波数とは異なる「non-member」のセル情報を抽出したり、サービング基地局から指示されたセルを提供するＨｅＮＢ以外に同時に検出できた他のＨｅＮＢが提供するnon-memberのＣＳＧセルのセル情報を抽出したりする。測定結果報告メッセージ生成／送信部２１０５は、抽出された「non-member」の周波数情報や、抽出されなかった周波数情報などを含むメッセージを生成し、サービング基地局へ送信する。なお、他の構成要素については、例えば上述した第１の実施の形態に係るＵＥと同様であるため説明を省略する。
【００７３】
また、第６の実施の形態に係るサービング基地局の構成の一例を図２２に示す。図２２に示すように、サービング基地局２２００は、ＵＥ通信ＩＦ２２０１、制御部２２０２から構成され、制御部２２０２は、測定結果報告メッセージ取得部２２０３、測定用設定メッセージ生成／送信部２２０４、測定周波数選択部２２０５から構成されている。測定周波数選択部２２０５は、例えば上述した第１の実施の形態と同様に、測定結果報告メッセージ取得部２２０３を介して受信したメッセージに含まれる周波数以外の周波数を選択する場合もあり、また、ＵＥ２１００のセル情報抽出部２１０４によって抽出されなかった周波数情報を含むメッセージを受信した場合には、含まれる周波数を選択する。
【００７４】
また、測定周波数選択部２２０５は具体的な周波数を選択するようにしてもよい。すなわち、上述したように、例えば、上記の条件を満たし、かつシステム情報受信を行っていない周波数であり、なおかつ第１測定結果報告メッセージで通知した受信品質のよいセルに対応する周波数を選択するようにしてもよい。なお、他の構成要素については、例えば上述した第１の実施の形態に係るＵＥと同様であるため説明を省略する。
【００７５】
また、第６の実施の形態における処理について図２３を用いて説明する。図２３に示すように、ＵＥ２１００は受信する周波数を選択する（ステップＳ２３０１）。ＵＥ２１００は複数のセルから報知情報を受信する（ステップＳ２３０２）。ＵＥ２１００は、受信した報知情報に基づいてセル情報抽出及びアクセス許可確認を行う（ステップＳ２３０３）。ＵＥ２１００は、１つてもアクセス許可があるか判断し（ステップＳ２３０４）、アクセス許可が全くない場合、周波数情報を抽出し（ステップＳ２３０５）、抽出された周波数情報を含む第２測定結果報告メッセージを送信する（ステップＳ２３０６）。第２測定結果報告メッセージを受信したサービング基地局２２００は、測定させる周波数選択を行い（ステップＳ２３０７）、測定周波数情報を含む測定用設定メッセージを送信する（ステップＳ２３０８）。なお、ステップＳ２３０４で、１つでもアクセス許可があると判断された場合、従来動作に移行する。
【００７６】
なお、上記の本発明の実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。
【００７７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７８】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【００７９】
本発明に係るハンドオーバ前処理システム、移動端末、基地局は、アクセス許可のないＣＳＧセルを再度通知することにより使用されるリソースの無駄をなくすことができるため、移動端末のハンドオーバ先を特定する際に行われるハンドオーバ前処理を実行するハンドオーバ前処理システム、移動端末、基地局などに有用である。
【図１】
2011086934.tif 000003
【図２】
2011086934.tif 000004
【図３】
2011086934.tif 000005
【図４】
2011086934.tif 000006
【図５】
2011086934.tif 000007
【図６】
2011086934.tif 000008
【図７】
2011086934.tif 000009
【図８】
2011086934.tif 000010
【図９】
2011086934.tif 000011
【図１０】
2011086934.tif 000012
【図１１】
2011086934.tif 000013
【図１２】
2011086934.tif 000014
【図１３】
2011086934.tif 000015
【図１４】
2011086934.tif 000016
【図１５】
2011086934.tif 000017
【図１６】
2011086934.tif 000018
【図１７】
2011086934.tif 000019
【図１８】
2011086934.tif 000020
【図１９】
2011086934.tif 000021
【図２０】
2011086934.tif 000022
【図２１】
2011086934.tif 000023
【図２２】
2011086934.tif 000024
【図２３】
2011086934.tif 000025
【国際調査報告】
2011086934.tif 000026
2011086934.tif 000027